【手続補正書】
【提出日】平成16年11月2日(2004.11.2)
【手続補正１】
【補正対象書類名】明細書
【補正対象項目名】特許請求の範囲
【補正方法】変更
【補正の内容】
【特許請求の範囲】
【請求項１】
１つの電源供給線を共有している複数の画素を有し、
前記複数の画素は、ＥＬ駆動用ＴＦＴと、放電用ＴＦＴと、ＥＬ素子と、基準電源線と、スイッチング用ＴＦＴと、ソース信号線とをそれぞれ有する発光装置であって、
前記ＥＬ駆動用ＴＦＴは、ソース領域が前記電源供給線に、ドレイン領域が前記ＥＬ素子の画素電極に電気的に接続されており、
前記放電用ＴＦＴは、ドレイン領域が前記電源供給線に電気的に接続されており、ソース領域が前記基準電源線に接続されており、
前記ＥＬ駆動用ＴＦＴのゲート電極は、前記スイッチング用ＴＦＴを介して前記ソース信号線と電気的に接続されていることを特徴とする発光装置。
【請求項２】
１つの電源供給線を共有している複数の画素を有し、
前記複数の画素は、ＥＬ駆動用ＴＦＴと、放電用ＴＦＴと、ＥＬ素子と、基準電源線と、スイッチング用ＴＦＴと、ソース信号線とをそれぞれ有する発光装置であって、
前記ＥＬ駆動用ＴＦＴは、ソース領域が前記電源供給線に、ドレイン領域が前記ＥＬ素子の画素電極に電気的に接続されており、
前記放電用ＴＦＴは、ドレイン領域が前記電源供給線に電気的に接続されており、ソース領域が前記基準電源線に電気的に接続されており、
前記ＥＬ駆動用ＴＦＴと前記放電用ＴＦＴはゲート電極が互いに電気的に接続されており、
前記ＥＬ駆動用ＴＦＴと前記放電用ＴＦＴは一方がｎチャネル型ＴＦＴであり、他方がｐチャネル型ＴＦＴであり、
前記ＥＬ駆動用ＴＦＴのゲート電極は、前記スイッチング用ＴＦＴを介して前記ソース信号線と電気的に接続されていることを特徴とする発光装置。
【請求項３】
１つの電源供給線を共有している複数の画素を有し、
前記複数の画素は、ＥＬ駆動用ＴＦＴと、放電用ＴＦＴと、ＥＬ素子と、基準電源線と、スイッチング用ＴＦＴと、ソース信号線とをそれぞれ有する発光装置であって、
前記スイッチング用ＴＦＴを介して前記ソース信号線からの信号により前記ＥＬ駆動用ＴＦＴ又は前記放電用ＴＦＴの一方がオンされ、他方がオフされ、
前記ＥＬ駆動用ＴＦＴは、前記電源供給線から前記ＥＬ素子に供給される電流の大きさを制御しており、
前記放電用ＴＦＴは、前記ＥＬ駆動用ＴＦＴがオフのときに前記電源供給線から前記基準電源線に供給される電流の大きさを制御していることを特徴とする発光装置。
【請求項４】
１つの電源供給線に、複数のＥＬ駆動用ＴＦＴのソース領域と、複数の放電用ＴＦＴのドレイン領域が電気的に接続されており、
前記複数のＥＬ駆動用ＴＦＴのドレイン領域に複数のＥＬ素子の画素電極がそれぞれ電気的に接続されており、
前記複数のＥＬ駆動用ＴＦＴ及び前記複数の放電用ＴＦＴのゲート電極は複数のスイッチング用ＴＦＴをそれぞれ介してソース信号線に電気的に接続されており、
前記複数の放電用ＴＦＴのソース領域には所定の電位が与えられており、
前記複数のＥＬ素子が発光していないときに、前記複数の放電用ＴＦＴのチャネル形成領域に電流が流れており、
前記複数のＥＬ素子が発光しているときに、前記複数の放電用ＴＦＴはオフになっていることを特徴とする発光装置。
【請求項５】
１つの電源供給線に、複数のＥＬ駆動用ＴＦＴのソース領域と、複数の放電用ＴＦＴのドレイン領域が電気的に接続されており、
前記複数のＥＬ駆動用ＴＦＴのドレイン領域に複数のＥＬ素子の画素電極がそれぞれ電気的に接続されており、
前記複数のＥＬ駆動用ＴＦＴ及び前記複数の放電用ＴＦＴのゲート電極は複数のスイッチング用ＴＦＴをそれぞれ介してソース信号線に電気的に接続されており、
前記複数の放電用ＴＦＴのソース領域には所定の電位が与えられており、
前記複数のＥＬ素子が発光しているときに、前記複数のＥＬ駆動用ＴＦＴのチャネル形成領域に電流が流れており、
前記複数のＥＬ素子が発光していないときに、前記複数の放電用ＴＦＴのチャネル形成領域に電流が流れており、
前記複数のＥＬ素子が発光しているときに、前記複数の放電用ＴＦＴはオフになっていることを特徴とする発光装置。
【請求項６】
１つの電源供給線に、複数のＥＬ駆動用ＴＦＴのソース領域と、複数の放電用ＴＦＴのドレイン領域が電気的に接続されており、
前記複数のＥＬ駆動用ＴＦＴのドレイン領域に複数のＥＬ素子の画素電極がそれぞれ電気的に接続されており、
前記複数のＥＬ駆動用ＴＦＴ及び前記複数の放電用ＴＦＴのゲート電極は複数のスイッチング用ＴＦＴをそれぞれ介してソース信号線に電気的に接続されており、
前記複数の放電用ＴＦＴのソース領域には所定の電位が与えられており、
前記複数のＥＬ素子が発光しているときに、前記複数のＥＬ駆動用ＴＦＴのチャネル形成領域に電流が流れており、かつ前記複数の放電用ＴＦＴはオフになっており、
前記複数のＥＬ素子が発光していないときに、前記複数の放電用ＴＦＴのチャネル形成領域に電流が流れており、
前記複数のＥＬ駆動用ＴＦＴのチャネル形成領域に流れる電流が、ソース領域からドレイン領域に流れている場合、前記複数の放電用ＴＦＴのチャネル形成領域に流れる電流は、ドレイン領域からソース領域に流れており、前記複数のＥＬ駆動用ＴＦＴのチャネル形成領域に流れる電流が、ドレイン領域からソース領域に流れている場合、前記複数の放電用ＴＦＴのチャネル形成領域に流れる電流は、ソース領域からドレイン領域に流れていることを特徴とする発光装置。
【請求項７】
１つの電源供給線に、複数のＥＬ駆動用ＴＦＴのソース領域と、複数の放電用ＴＦＴのドレイン領域が電気的に接続されており、
前記複数のＥＬ駆動用ＴＦＴのドレイン領域に複数のＥＬ素子の画素電極がそれぞれ電気的に接続されており、
前記複数のＥＬ駆動用ＴＦＴ及び前記複数の放電用ＴＦＴのゲート電極は複数のスイッチング用ＴＦＴをそれぞれ介してソース信号線に電気的に接続されており、
前記複数の放電用ＴＦＴのソース領域には所定の電位が与えられており、
前記複数のＥＬ素子が発光しているときに、前記複数のＥＬ駆動用ＴＦＴのチャネル形成領域に電流が流れており、かつ前記複数の放電用ＴＦＴはオフになっており、
前記複数のＥＬ素子が発光していないときに、前記複数の放電用ＴＦＴのチャネル形成領域に電流が流れており、
前記複数のＥＬ駆動用ＴＦＴのチャネル形成領域に流れる電流が、ソース領域からドレイン領域に流れている場合、前記複数の放電用ＴＦＴのチャネル形成領域に流れる電流は、ドレイン領域からソース領域に流れており、前記複数のＥＬ駆動用ＴＦＴのチャネル形成領域に流れる電流が、ドレイン領域からソース領域に流れている場合、前記複数の放電用ＴＦＴのチャネル形成領域に流れる電流は、ソース領域からドレイン領域に流れており、
前記複数のＥＬ駆動用ＴＦＴのチャネル形成領域に流れる電流と、前記複数の放電用ＴＦＴのチャネル形成領域に流れる電流とは大きさが同じであることを特徴とする発光装置。
【請求項８】
１つの電源供給線に、複数のＥＬ駆動用ＴＦＴのソース領域と、複数の放電用ＴＦＴのドレイン領域が電気的に接続されており、
前記複数のＥＬ駆動用ＴＦＴのドレイン領域に複数のＥＬ素子の画素電極がそれぞれ電気的に接続されており、
前記複数の放電用ＴＦＴのソース領域には所定の電位が与えられており、
前記複数のＥＬ駆動用ＴＦＴのゲート電極と、前記複数の放電用ＴＦＴのゲート電極は、それぞれが互いに電気的に接続されており、
前記複数のＥＬ駆動用ＴＦＴ及び前記複数の放電用ＴＦＴのゲート電極は複数のスイッチング用ＴＦＴをそれぞれ介してソース信号線に電気的に接続されており、
前記複数のＥＬ素子が発光していないときに、前記複数の放電用ＴＦＴのチャネル形成領域に電流が流れており、
前記複数のＥＬ素子が発光しているときに、前記複数の放電用ＴＦＴはオフになっていることを特徴とする発光装置。
【請求項９】
１つの電源供給線に、複数のＥＬ駆動用ＴＦＴのソース領域と、複数の放電用ＴＦＴのドレイン領域が電気的に接続されており、
前記複数のＥＬ駆動用ＴＦＴのドレイン領域に複数のＥＬ素子の画素電極がそれぞれ電気的に接続されており、
前記複数の放電用ＴＦＴのソース領域には所定の電位が与えられており、
前記複数のＥＬ駆動用ＴＦＴのゲート電極と、前記複数の放電用ＴＦＴのゲート電極は、それぞれが互いに電気的に接続されており、
前記複数のＥＬ駆動用ＴＦＴ及び前記複数の放電用ＴＦＴのゲート電極は複数のスイッチング用ＴＦＴをそれぞれ介してソース信号線に電気的に接続されており、
前記複数のＥＬ駆動用ＴＦＴと前記複数の放電用ＴＦＴは一方がｎチャネル型ＴＦＴであり、他方がｐチャネル型ＴＦＴであり、
前記複数のＥＬ素子が発光していないときに、前記複数の放電用ＴＦＴのチャネル形成領域に電流が流れており、
前記複数のＥＬ素子が発光しているときに、前記複数の放電用ＴＦＴはオフになっていることを特徴とする発光装置。
【請求項１０】
１つの電源供給線に、複数のＥＬ駆動用ＴＦＴのソース領域と、複数の放電用ＴＦＴのドレイン領域が電気的に接続されており、
前記複数のＥＬ駆動用ＴＦＴのドレイン領域に複数のＥＬ素子の画素電極がそれぞれ電気的に接続されており、
前記複数の放電用ＴＦＴのソース領域には所定の電位が与えられており、
前記複数のＥＬ駆動用ＴＦＴのゲート電極と、前記複数の放電用ＴＦＴのゲート電極は、それぞれが互いに電気的に接続されており、
前記複数のＥＬ駆動用ＴＦＴ及び前記複数の放電用ＴＦＴのゲート電極は複数のスイッチング用ＴＦＴをそれぞれ介してソース信号線に電気的に接続されており、
前記複数のＥＬ素子が発光しているときに、前記複数のＥＬ駆動用ＴＦＴのチャネル形成領域に電流が流れており、かつ前記複数の放電用ＴＦＴはオフになっており、
前記複数のＥＬ素子が発光していないときに、前記複数の放電用ＴＦＴのチャネル形成領域に電流が流れることを特徴とする発光装置。
【請求項１１】
１つの電源供給線に、複数のＥＬ駆動用ＴＦＴのソース領域と、複数の放電用ＴＦＴのドレイン領域が電気的に接続されており、
前記複数のＥＬ駆動用ＴＦＴのドレイン領域に複数のＥＬ素子の画素電極がそれぞれ電気的に接続されており、
前記複数の放電用ＴＦＴのソース領域には所定の電位が与えられており、
前記複数のＥＬ駆動用ＴＦＴのゲート電極と、前記複数の放電用ＴＦＴのゲート電極は、それぞれが互いに電気的に接続されており、
前記複数のＥＬ駆動用ＴＦＴ及び前記複数の放電用ＴＦＴのゲート電極は複数のスイッチング用ＴＦＴをそれぞれ介してソース信号線に電気的に接続されており、
前記複数のＥＬ素子が発光しているときに、前記複数のＥＬ駆動用ＴＦＴのチャネル形成領域に電流が流れており、かつ前記複数の放電用ＴＦＴはオフになっており、
前記複数のＥＬ素子が発光していないときに、前記複数の放電用ＴＦＴのチャネル形成領域に電流が流れており、
前記複数のＥＬ駆動用ＴＦＴのチャネル形成領域に流れる電流が、ソース領域からドレイン領域に流れている場合、前記複数の放電用ＴＦＴのチャネル形成領域に流れる電流は、ドレイン領域からソース領域に流れており、前記複数のＥＬ駆動用ＴＦＴのチャネル形成領域に流れる電流が、ドレイン領域からソース領域に流れている場合、前記複数の放電用ＴＦＴのチャネル形成領域に流れる電流は、ソース領域からドレイン領域に流れていることを特徴とする発光装置。
【請求項１２】
１つの電源供給線に、複数のＥＬ駆動用ＴＦＴのソース領域と、複数の放電用ＴＦＴのドレイン領域が電気的に接続されており、
前記複数のＥＬ駆動用ＴＦＴのドレイン領域に複数のＥＬ素子の画素電極がそれぞれ電気的に接続されており、
前記複数の放電用ＴＦＴのソース領域には所定の電位が与えられており、
前記複数のＥＬ駆動用ＴＦＴのゲート電極と、前記複数の放電用ＴＦＴのゲート電極は、それぞれが互いに電気的に接続されており、
前記複数のＥＬ駆動用ＴＦＴ及び前記複数の放電用ＴＦＴのゲート電極は複数のスイッチング用ＴＦＴをそれぞれ介してソース信号線に電気的に接続されており、
前記複数のＥＬ素子が発光しているときに、前記複数のＥＬ駆動用ＴＦＴのチャネル形成領域に電流が流れており、かつ前記複数の放電用ＴＦＴはオフになっており、
前記複数のＥＬ素子が発光していないときに、前記複数の放電用ＴＦＴのチャネル形成領域に電流が流れており、
前記複数のＥＬ駆動用ＴＦＴのチャネル形成領域に流れる電流が、ソース領域からドレイン領域に流れている場合、前記複数の放電用ＴＦＴのチャネル形成領域に流れる電流は、ドレイン領域からソース領域に流れており、前記複数のＥＬ駆動用ＴＦＴのチャネル形成領域に流れる電流が、ドレイン領域からソース領域に流れている場合、前記複数の放電用ＴＦＴのチャネル形成領域に流れる電流は、ソース領域からドレイン領域に流れており、
前記複数のＥＬ駆動用ＴＦＴのチャネル形成領域に流れる電流と、前記複数の放電用ＴＦＴのチャネル形成領域に流れる電流とは大きさが同じであることを特徴とする発光装置。
【請求項１３】
１つの電源供給線に、複数のＥＬ駆動用ＴＦＴのソース領域と、複数の放電用ＴＦＴのドレイン領域が電気的に接続されており、
前記複数のＥＬ駆動用ＴＦＴのドレイン領域に複数のＥＬ素子の画素電極がそれぞれ電気的に接続されており、
前記複数の放電用ＴＦＴのソース領域には所定の電位が与えられており、
前記複数のＥＬ駆動用ＴＦＴのゲート電極と、前記複数の放電用ＴＦＴのゲート電極は、それぞれが互いに電気的に接続されており、
前記複数のＥＬ駆動用ＴＦＴ及び前記複数の放電用ＴＦＴのゲート電極は複数のスイッチング用ＴＦＴをそれぞれ介してソース信号線に電気的に接続されており、
前記複数のＥＬ駆動用ＴＦＴと前記複数の放電用ＴＦＴは一方がｎチャネル型ＴＦＴであり、他方がｐチャネル型ＴＦＴであり、
前記複数のＥＬ素子が発光しているときに、前記複数のＥＬ駆動用ＴＦＴのチャネル形成領域に電流が流れており、かつ前記複数の放電用ＴＦＴはオフになっており、
前記複数のＥＬ素子が発光していないときに、前記複数の放電用ＴＦＴのチャネル形成領域に電流が流れることを特徴とする発光装置。
【請求項１４】
１つの電源供給線に、複数のＥＬ駆動用ＴＦＴのソース領域と、複数の放電用ＴＦＴのドレイン領域が電気的に接続されており、
前記複数のＥＬ駆動用ＴＦＴのドレイン領域に複数のＥＬ素子の画素電極がそれぞれ電気的に接続されており、
前記複数の放電用ＴＦＴのソース領域には所定の電位が与えられており、
前記複数のＥＬ駆動用ＴＦＴのゲート電極と、前記複数の放電用ＴＦＴのゲート電極は、それぞれが互いに電気的に接続されており、
前記複数のＥＬ駆動用ＴＦＴ及び前記複数の放電用ＴＦＴのゲート電極は複数のスイッチング用ＴＦＴをそれぞれ介してソース信号線に電気的に接続されており、
前記複数のＥＬ駆動用ＴＦＴと前記複数の放電用ＴＦＴは一方がｎチャネル型ＴＦＴであり、他方がｐチャネル型ＴＦＴであり、
前記複数のＥＬ素子が発光しているときに、前記複数のＥＬ駆動用ＴＦＴのチャネル形成領域に電流が流れており、かつ前記複数の放電用ＴＦＴはオフになっており、
前記複数のＥＬ素子が発光していないときに、前記複数の放電用ＴＦＴのチャネル形成領域に電流が流れており、
前記複数のＥＬ駆動用ＴＦＴのチャネル形成領域に流れる電流が、ソース領域からドレイン領域に流れている場合、前記複数の放電用ＴＦＴのチャネル形成領域に流れる電流は、ドレイン領域からソース領域に流れており、前記複数のＥＬ駆動用ＴＦＴのチャネル形成領域に流れる電流が、ドレイン領域からソース領域に流れている場合、前記複数の放電用ＴＦＴのチャネル形成領域に流れる電流は、ソース領域からドレイン領域に流れていることを特徴とする発光装置。
【請求項１５】
１つの電源供給線に、複数のＥＬ駆動用ＴＦＴのソース領域と、複数の放電用ＴＦＴのドレイン領域が電気的に接続されており、
前記複数のＥＬ駆動用ＴＦＴのドレイン領域に複数のＥＬ素子の画素電極がそれぞれ電気的に接続されており、
前記複数の放電用ＴＦＴのソース領域には所定の電位が与えられており、
前記複数のＥＬ駆動用ＴＦＴのゲート電極と、前記複数の放電用ＴＦＴのゲート電極は、それぞれが互いに電気的に接続されており、
前記複数のＥＬ駆動用ＴＦＴ及び前記複数の放電用ＴＦＴのゲート電極は複数のスイッチング用ＴＦＴをそれぞれ介してソース信号線に電気的に接続されており、
前記複数のＥＬ駆動用ＴＦＴと前記複数の放電用ＴＦＴは一方がｎチャネル型ＴＦＴであり、他方がｐチャネル型ＴＦＴであり、
前記複数のＥＬ素子が発光しているときに、前記複数のＥＬ駆動用ＴＦＴのチャネル形成領域に電流が流れており、かつ前記複数の放電用ＴＦＴはオフになっており、
前記複数のＥＬ素子が発光していないときに、前記複数の放電用ＴＦＴのチャネル形成領域に電流が流れており、
前記複数のＥＬ駆動用ＴＦＴのチャネル形成領域に流れる電流が、ソース領域からドレイン領域に流れている場合、前記複数の放電用ＴＦＴのチャネル形成領域に流れる電流は、ドレイン領域からソース領域に流れており、前記複数のＥＬ駆動用ＴＦＴのチャネル形成領域に流れる電流が、ドレイン領域からソース領域に流れている場合、前記複数の放電用ＴＦＴのチャネル形成領域に流れる電流は、ソース領域からドレイン領域に流れており、
前記複数のＥＬ駆動用ＴＦＴのチャネル形成領域に流れる電流と、前記複数の放電用ＴＦＴのチャネル形成領域に流れる電流とは大きさが同じであることを特徴とする発光装置。
【請求項１６】
請求項８乃至請求項１５のいずれか１項において、前記複数のＥＬ駆動用ＴＦＴのゲート電極及び前記複数の放電用ＴＦＴのゲート電極にソース信号線からのデジタルビデオ信号が入力されることで、前記複数のＥＬ駆動用ＴＦＴ及び前記複数の放電用ＴＦＴのスイッチングが制御されることを特徴とする発光装置。
【請求項１７】
請求項４乃至請求項１６のいずれか１項において、前記複数の放電用ＴＦＴのソース領域またはドレイン領域のうちの前記電源供給線に電気的に接続されていない方と、前記複数のスイッチング用ＴＦＴのゲート電極とは一対一で電気的に接続されることを特徴とする発光装置。
【請求項１８】
請求項４乃至請求項１６のいずれか１項において、前記複数の放電用ＴＦＴのソース領域またはドレイン領域のうちの前記電源供給線に電気的に接続されていない方と、前記複数のＥＬ素子の対向電極とがそれぞれ電気的に接続されていることを特徴とする発光装置。
【請求項１９】
請求項４乃至請求項１６のいずれか１項において、前記複数の放電用ＴＦＴのソース領域またはドレイン領域のうちの前記電源供給線に電気的に接続されていない方と、前記複数のスイッチング用ＴＦＴのゲート電極とが、第１の電流制御素子を介してそれぞれ電気的に接続されていることを特徴とする発光装置。
【請求項２０】
請求項４乃至請求項１６のいずれか１項において、前記複数の放電用ＴＦＴのソース領域またはドレイン領域のうちの前記電源供給線に電気的に接続されていない方と、前記ＥＬ素子の対向電極とが第１の電流制御素子を介してそれぞれ電気的に接続されていることを特徴とする発光装置。
【請求項２１】
請求項４乃至請求項１６のいずれか１項において、前記複数の放電用ＴＦＴのソース領域に第１の電流制御素子が電気的に接続されており、前記複数の放電用ＴＦＴのソース領域には前記第１の電流制御素子を介して所定の電位が与えられていることを特徴とする発光装置。
【請求項２２】
請求項４乃至請求項２１のいずれか１項において、前記複数のスイッチング用ＴＦＴと前記複数の放電用ＴＦＴの極性が同じであることを特徴とする発光装置。
【請求項２３】
請求項１９乃至請求項２１のいずれか１項において、前記第１の電流制御素子は抵抗、ダイオードまたはＴＦＴであることを特徴とする発光装置。
【請求項２４】
請求項４乃至請求項２３のいずれか１項において、前記複数の放電用ＴＦＴのドレイン領域は、第２の電流制御素子を介して前記電源供給線に電気的に接続されていることを特徴とする発光装置。
【請求項２５】
請求項２４において、前記第２の電流制御素子は抵抗、ダイオードまたはＴＦＴであることを特徴とする発光装置。
【請求項２６】
請求項４乃至請求項２５のいずれか１項において、前記複数のＥＬ駆動用ＴＦＴのソース領域またはドレイン領域と電気的に接続されている電源供給線の位置によって、前記複数のＥＬ駆動用ＴＦＴのソース領域またはドレイン領域の前記電源供給線とは電気的に接続されていない方とそれぞれ電気的に接続されている前記複数のＥＬ素子の発光する期間を調整することを特徴とする発光装置。
【請求項２７】
請求項１乃至請求項２６のいずれか１項において、前記発光装置を表示部に有することを特徴とする電子機器。